(57)【特許請求の範囲】
【請求項１】
弾発力を有し、それぞれ連結孔４３を有した係合端部４２を互いに当接させて形成した開閉可能なリング体４１と、
底板部５１の下面には、前記リング体４１の上部が挿入可能な嵌合溝部５２と、該嵌合溝部の略中央には前記リング体４１の係合端部４２が係止する支持軸５３を形成すると共に、底板部５１の上面には、先方に前記連結孔４３に挿通する連結軸部５８を形成し、後方に案内軸部６０を設けて形成した作動片５７の前記連結軸部５８を、前記装飾体５０の嵌合溝部５２を挟んで設けた一対の第１支持筒６５のうち、一方側第１支持筒６５ａに摺動可能に挿通し、底板部５１の上方には装飾部７０を形成した装飾体５０と、
からなり、前記リング体４１の係合端部４１を前記装飾体５０の嵌合溝部５２に嵌合させた後、前記作動片５７の連結軸部５８を係合端部４１の連結孔４３を貫通して第１支持筒６５ｂに挿通させることにより、前記リング体４１を着脱可能に取付けたことを特徴とする指輪。
【請求項２】
前記作動片５７は、先方には少なくとも１対以上の連結軸部５８と、後方には案内軸部６０を設けて全体を略Ｕ字状に形成し、前記連結軸部５８を装飾体５０の嵌合溝部５２を挟んで対向させた一対の第１支持筒６５ａ、６５ｂのうち、一方側第１支持筒６５ａに挿通し、前記案内軸部６０は装飾体５０の裏面に設けた第２支持筒６９に挿通してなり、
前記リング体４１の係合端部４２を前記支持軸５３に係止した後、該作動片をスライドさせて前記連結軸部５８をリング体４１の連結孔４３を貫通して他方側の第１支持筒６５ｂに挿通し、前記リング体４１を着脱可能に取付けたことを特徴とする前記請求項１記載の指輪。
【請求項３】
前記装飾体５０は、底板部５１の上方に周辺部より突設された複数の支柱部６７を介し、貴石、半貴石、合成宝石、時計などが取付けられた装飾部７０が形成されたものであることを特徴とする前記請求項１または２記載の指輪。
【発明の詳細な説明】
【発明の属する技術分野】
【０００１】
本発明は、各種宝石や時計などを取付けた装飾体とリング体を自由に着脱することができるため、装飾体を指輪のみならずペンダントとしても使用でき、また、他の装飾体と交換することもできるため豊富なデザインのバリエーションが可能な指輪に関する。
【従来の技術】
【０００２】
従来からある装身具、特に指輪は、指に嵌めるリング体と、該リング体の上端に設けた石座に任意の宝石を石止めした装飾部とを一体的に形成する。そのため、気に入ったデザインの装身具であっても、指輪としての使用しかできず、その日に着る洋服や気分に合わせて、ペンダントとして使用することは殆んど不可能であった。また、デザインの異なる他の装飾体に交換することもできなかった。
【０００３】
一方、図１２に示されるような、宝石等からなる装飾部２を、指輪６のリングの台座５に着脱自在に設けるとともに、台座５より外した装飾部２を、ペンダントの鎖に着脱自在であるペンダント兼用指輪１が開発されている。
【０００４】
しかし、このようなペンダント兼用指輪１は、単にペンダントのバチカン部３を回動し、着脱凹部４が形成された台座５に掛け止めにより装着するものであるため、宝石等からなる装飾部２がガタついたり、指輪６を外した時に装飾部２が脱落する恐れがあり、一般的には使用されていなかった。
【０００５】
また、図１３に示すような、リング体１２の肉厚部１３に貫通孔１５を形成し、該貫通孔１５の上面両側には孔１６を設け、リング体１２と装飾体２０を着脱可能に形成した指輪１０も知られている。
【０００６】
しかし、装飾体２０に設けた台座部２２をリング体１２に連結するためには、接続筒１８や治具Ａなどを必要とするため、構造が複雑であると共に、部品が紛失し易く使い勝手が非常に不便であり、前記同様一般的には使用されていなかった。
【発明が解決しようとする課題】
【０００７】
本発明は、それぞれ別体に形成した装飾体とリング体とを簡易かつ確実に着脱できるので、装飾体を指輪のみならずペンダントとしても使用でき、また、他の装飾体と交換することができることにより、デザインのバリエーションを楽しめる指輪を提供することを目的とする。
【課題を解決するための手段】
【０００８】
上記課題を解決するために請求項１に記載された本発明は、弾発力を有し、それぞれ連結孔４３を有した係合端部４２を互いに当接させて形成した開閉可能なリング体４１と、底板部５１の下面には、前記リング体４１の上部が挿入可能な嵌合溝部５２と、該嵌合溝部の略中央には前記リング体４１の係合端部４２が係止する支持軸５３を形成すると共に、底板部５１の上面には、先方に前記連結孔４３に挿通する連結軸部５８を形成し、後方に案内軸部６０を設けて形成した作動片５７の前記連結軸部５８を、前記装飾体５０の嵌合溝部５２を挟んで設けた一対の第１支持筒６５のうち、一方側第１支持筒６５ａに摺動可能に挿通し、底板部５１の上方には装飾部７０を形成した装飾体５０と、とからなり、前記リング体４１の係合端部４１を前記装飾体５０の嵌合溝部５２に嵌合させた後、前記作動片５７の連結軸部５８を係合端部４１の連結孔４３を貫通させてから第１支持筒６５ｂに挿通させることにより、前記リング体４１を装飾体５０に着脱可能に取付けたことを特徴とする指輪。
【０００９】
したがって、リング体を装飾体の嵌合溝部に嵌合することにより、リング体の連結孔に、底板部に設けた作動片の連結軸部が挿通し、装飾体を容易に着脱することができる。
【００１０】
上記課題を解決するために請求項２に記載された本発明は、前記作動片５７は、先方には少なくとも１対以上の連結軸部５８と、後方には案内軸部６０を設けて全体を略Ｕ字状に形成され、前記連結軸部５８を装飾体５０の嵌合溝部５２を挟んで設けた一対の第１支持筒６５のうち、一方側第１支持筒６５ａに挿通し、前記案内軸部６０は装飾体５０の裏面に設けた第２支持筒６９に挿通され、前記リング体４１の係合端部４２を前記支持軸５３に係止した後、該作動片をスライドさせて前記連結軸部５８をリング体４１の連結孔４３を貫通して他方側の第１支持筒６５ｂに挿通し、前記リング体４１を着脱可能に形成したことを特徴とする。
【００１１】
したがって、リング体と装飾体を安定して連結することができ、通常の指輪と同様に使用することができる。
【００１２】
上記課題を解決するために請求項３に記載された本発明は、前記装飾体５０は、底板部５１の上方に周辺部より突設された複数の支柱部６７を介し、貴石、半貴石、合成宝石、時計などが取付けられた装飾部７０が形成された前記請求項１乃至請求項２記載の指輪であることを特徴とする。
【００１３】
したがって、装飾体の支柱部にネックレスチェーンを挿通して、装飾体単体をペンダントとしても使用することができる。
【発明の実施の形態】
【００１４】
本発明に係る実施の形態を図１〜７に基づいて説明すると、図１は指輪の正面図、図２はリング体と装飾体との連結状態を示す断面図。図３はリング体の正面図、図４は底板部の上方を水平方向に断面にした平面図、図５は装飾体にリング体を嵌合する前の状態を示す要部拡大断面図。図７は装飾体にリング体を嵌合した状態を示す要部拡大断面図である。
【００１５】
指輪４０は、例えば、金、プラチナ若しくは銀及びそれらの合金などの貴金属材により形成したリング体４１と装飾体５０とからなり、該装飾体５０に取付けた作動片５７で前記リング体４１と装飾体５０を着脱可能に形成してある。
【００１６】
リング体４１は、図３に示すごとく、一端を切り欠いた端部を互いに当接させて形成した係合端部４２にそれぞれ連結孔４３を設け、該連結孔４３の下部には係止段部４４を形成し、且つ、係止端部４２の延長線上には係止稜部４５を設け、さらには係止肩部４６を形成してある。
【００１７】
装飾体５０は、下方からみると、図４に示す如く、全体を緩やかに湾曲させて形成した底板部５１の中央に嵌合溝部５２を設け、該嵌合溝部５２の中央には支持軸５３を、該嵌合溝部５２の略両端には係止軸５５をそれぞれ設け、前記底板部５１の上面中央には、前記支持軸５３と平行方向で摺動可能に形成した作動片５７を取付けてある。
【００１８】
この作動片５７は、全体が略Ｕ字状をなし、先方には１対の連結軸部５８と、後方には該連結軸部５８の基部５９に案内軸部６０の一端を水平方向で連結してある。また、案内軸部６０を、側方からみると、他端が折曲げられて係止部６１が設けられ、やはり全体が略Ｕ字状をなしている（図５）。６３は、前記案内軸部６０の基部６２に取付けた把手部片である。
【００１９】
また、作動片５７の連結軸部５８は、下方からみると、前記嵌合溝部５２を挟んで両側にそれぞれ対をなして底板部５１上に取付けられた一方側の第１支持筒６５ａ内に挿通させて位置され、該作動片５７がスライドすることで、該連結軸部５８の先端が他方の第１支持筒６５ｂ内に挿脱可能となる。
【００２０】
一端が連結軸部５８に連結された案内軸部６０の他端は、側方からみると、底板部５１の上方に支柱部６７を介して形成した空間部分の上方に設けた装飾板部６８の下面に取付けられた第２支持筒６９内に挿通させて形成したことにより（図５）、作動片５７全体を前記支持軸５３と平行方向で確実に摺動させることができる。
【００２１】
さらに、前記底板部５１の上方には、該底板部５１の周辺部より複数の支柱部６７が突設され、装飾板部６８が取付けられている。くわえて、該装飾板部６８の上面には、例えば、ダイアモンド、ルビーなどの任意の貴石、真珠などの半貴石、合成宝石などが取付けられて装飾部７０が形成されている。
【００２２】
以下本発明の実施の形態の作用について説明すると、指輪４０を形成するためのリング体４１と装飾体５０との着脱手順は、装飾体５０に取付けてある作動片５７の把手部片６３を手で掴み、図５に示す矢印方向（外側）へ移動させる。
【００２３】
移動させた作動片５７は、案内軸部６０の係止部６１が第２支持筒６９の一端に係止されて停止する。同時に、底板部５１に設けた嵌合溝部５２を遮っていた連結軸部５８が矢印方向へ引かれて嵌合溝部５２が開口する。
【００２４】
次いで、リング体４１を係合端部４２より装飾体５０の嵌合溝部５２に挿入する。嵌合動作は、リング体４１の係合端部４２の中央を支持軸５３に押し当てながら強く押し込むと、図６に示す如く、リング体４１の弾発力で係合端部４２が左右方向に開きながら支持軸５３を超え、該支持軸５３の上方で係合端部４２の先端が弾発力で再び当接し、支持軸５３と係合端部４２の下方に形成された係止段部４４が係合する。同時に、リング体４１の係止稜部４５がそれぞれ嵌合溝部５２の両端に設けた係止軸５５に当接してリング体４１が装飾体５０に嵌合される。
【００２５】
リング体４１の係止稜部４５が、嵌合溝部５２内で、支持軸５３と係止軸５５との三点で当接支持されることにより、嵌合したリング体４１と装飾体５０との接続部分のガタツキを防止することができる。また、リング体４１の係止肩部４６は、装飾体５０に指などが直接触れることを防止する。
【００２６】
さらには、このリング体４１の係合端部４２の係止段部４４で支持軸５３を挟着支持することにより、該係合端部４２の連結孔４３と、底板部５１に設けた第１支持筒６５ａ、６５ｂとの芯出しを確実に行うことができる。したがって、作動片５７の連結軸部５８を容易に連結孔４３と第１支持筒６５ｂ内に挿通させることができる。
【００２７】
そして、図７に示す如く、装飾体５０の嵌合溝部５２内にリング体４１の係止稜部４５を位置させた後、作動片５７の把手部片６３を矢印方向に押し込むと、第１支持筒６５ａに支持された連結軸部５８が、係合端部４２の連結孔４３を貫通して反対側の第１支持筒６５ｂ内に挿通すると共に、案内軸部６０の基部６２が支持筒６９の一端に係止されて停止することで、リング体４１と装飾体５０が連結する。
【００２８】
また、リング体４１と装飾体５０とを連結して形成した指輪４０は、通常、リング体４１内に指を深く挿入して指輪として使用する。そのため、弾発力を有するリング体４１は指との摩擦抵抗で周方向にやや拡がる力が働く。そのため、係止端部４２の連結孔４３内に挿通されている連結軸部５８が案内筒６５内の一方向に押付けられる。
【００２９】
連結軸部５８が第１支持筒６５ａ、６５ｂの一方向に押付けられると、連結軸部５８は第１支持筒６５ａ、６５ｂの内壁面との摩擦抵抗が作用するため、作動片５７を引っ張ったり、使用中の振動などによっては作動片５７が動かないので、装飾体５０がリング体４１から脱落する恐れがなく安全である。
【００３０】
また、装飾体５０をペンダントとして使用する場合には、図９に示すごとく、底板部５１と支柱部６７の間に形成される空間にネックレスチェーン７２を挿通し支柱部６７と係合することで、首からぶら下げることができる。
【００３１】
さらに、装飾体５０は異なる宝石を取付けたものを複数備えることで、例えば、ダイアモンドの指輪をルビーの指輪として使用することもできる。
くわえて、図１１に示すごとく、装飾体７５の上面に小型時計７７を取付けることもでき、このような装飾体７５を取付ける場合には、オシャレな時計型の装身具７３としても使用することもできる。
【００３２】
以上の如く、いくつかの実施形態により本発明を説明したが、それらを以って本発明を前記実施形態のみに限定するものではなく、この発明の精神を逸脱しない限り種々の改変を加えて、多種多様の変更ができることはいうまでもない。
例えば、作動片の形状は連結軸部が一対（２本）であるＵ字状を示したが、４本である場合でも良い。かかる場合は、係合端部に設ける連結孔をそれぞれ２つずつ設けることで、装飾体とリング体の連結はより安定する。
【発明の効果】
【００３３】
本発明に係る指輪によれば、リング体を装飾体の嵌合溝部に嵌合することにより、リング体の連結孔に、底板部に設けた作動片の連結軸部を挿通し、装飾体を容易に連結することができ、構造が複雑であると共に、特別な部品を必要とせず使い勝手が非常に便利である。
リング体と装飾体を安定して連結することができ、指輪として使用する場合にも、宝石等からなる装飾部がガタついたり、指輪を外した時に装飾部が脱落する恐れがない。
また、装飾体にネックレスチェーンを挿通することで、ペンダント単体として使用することもできる。
さらに、一のリング体と二以上の装飾体を揃える場合には、洋服やその日の気分に合わせて多様なバリエーションの装身具を楽しむことができる。
【図面の簡単な説明】
【００３４】
【図１】  本発明に係る指輪の正面図である。
【図２】  本発明に係る指輪の中央横断面図である。
【図３】  リング体の断面図である。
【図４】  装飾体の中央を水平方向に一部を断面にした底板部の平面図である。
【図５】  装飾体にリング体を嵌合する前の状態を示す要部拡大断面図である。
【図６】  嵌合溝部の支持軸にリング体の係止端部を押圧して広がった状態の要部拡大断面図である。
【図７】  装飾体にリング体を嵌合した状態を示す要部拡大断面図である。
【図８】  本発明を指輪として使用する状態を示す正面図である。
【図９】  装飾体にネックレスチェーンを挿通した状態を示す一部断面図である。
【図１０】  本発明をペンダントとして使用する状態を示す正面図である。
【図１１】  装飾体の装飾部に時計を取付けた状態の平面図である。
【図１２】  従来の指輪を示す斜視図である。
【図１３】  従来の指輪を示す断面図である。
【符号の説明】
【００３５】
１    ペンダント兼用指輪
２    装飾部
３    バチカン部
４    着脱凹部
５    台座
６    指輪
１０  指輪
１２  リング体
１３  肉厚部
１５  貫通孔
１６  孔
１８  接続筒
２０  装飾体
２２  台座部
４０  指輪
４１  リング体
４２  係止端部
４３  連結孔
４４  係止断部
５０  装飾体
５１  底板部
５２  嵌合溝部
５３  支持軸
５５  係止軸
５７  作動片
５８  連結軸部
６０  案内軸部
６３  把手部片
７０  装飾部
７１  時計
【図１】
0004140754.tif 000002
【図２】
0004140754.tif 000003
【図３】
0004140754.tif 000004
【図４】
0004140754.tif 000005
【図５】
0004140754.tif 000006
【図６】
0004140754.tif 000007
【図７】
0004140754.tif 000008
【図８】
0004140754.tif 000009
【図９】
0004140754.tif 000010
【図１０】
0004140754.tif 000011
【図１１】
0004140754.tif 000012
【図１２】
0004140754.tif 000013
【図１３】
0004140754.tif 000014